(57)【要約】【課題】電解液の液漏れを防止し信頼性の高い電池を提供する。【解決手段】外装容器と、前記外装容器内に配置せしめられた正および負の電極を備えた電極体と、これら正および負の電極間に充填せしめられた電解液とを具備し、前記外装容器が、前記正または負の電極の一方に電気的に接続されて一方極の端子を構成し、前記外装容器の開口部が、ガスケットを介して、前記外装容器と電気的に絶縁され、他方極の端子を構成する封口体で封口され、前記電極体の上端近傍における当該外装容器の側壁が周方向に絞られて溝部が形成された電池において、前記溝部の深さをＤとし、前記溝部が形成される前記外装容器の肉厚をｔとしたとき、Ｄ／ｔが６以下に設定されると共に、前記溝部の傾き角度が６０度以上となるように設定される。【選択図】      図６
2005293922.tif 000002
【特許請求の範囲】
【請求項１】
外装容器と、前記外装容器内に配置せしめられた正および負の電極を備えた電極体と、これら正および負の電極間に充填せしめられた電解液とを具備し、前記外装容器が、前記正または負の電極の一方に電気的に接続されて一方極の端子を構成し、前記外装容器の開口部が、ガスケットを介して、前記外装容器と電気的に絶縁され、他方極の端子を構成する封口体で封口され、前記電極体の当該外装容器の開口部側端部近傍における当該外装容器の側壁が周方向に絞られて溝部が形成された電池において、
前記溝部の深さをＤとし、前記溝部が形成される領域の前記外装容器の肉厚をｔとしたとき、Ｄ／ｔが６以下に設定されると共に、前記溝部の傾き角度が６０度以上となるように設定された電池。
【請求項２】
請求項１に記載の電池であって、
前記外装容器の、前記溝部が形成される領域の肉厚が、それ以外の側面部分の肉厚よりも厚く形成された電池。
【請求項３】
請求項１乃至２のいずれかに記載の電池であって、
前記外装容器は前記電極体の外周に沿うように縮径された縮径部を有する電池。
【請求項４】
外装容器内に電極体を収納し、前記電極体の上端近傍における前記外装容器の側壁を周方向に絞って溝部を形成する工程と、
前記溝部の上端に封口体を載置し前記外装容器の開口端を嵌めて封止し、前記外装容器の軸方向に適宜圧縮して当該軸方向の寸法設定を行なうようにした電池の製造方法であって、
前記溝部を形成する工程が、カシメ加工前の外装容器の肉厚がｔ、前記溝部の深さがＤであるとき、D／ｔが６以下に設定されるとともに、前記溝部の傾き角度が６０度以上となるように、前記外装容器の開口端近傍でカシメ加工を行う工程を含む電池の製造方法。
【請求項５】
請求項４に記載の電池の製造方法であって、
前記電極体の外径より大きな内径を持つ前記外装容器に当該電極体を挿入した後に前記外装容器を縮径する縮径工程を含む電池の製造方法。
【請求項６】
請求項５に記載の電池の製造方法であって、
前記縮径工程は、前記溝部を形成する工程に先立ち、実行される電池の製造方法。
【請求項７】
請求項４乃至６のいずれかに記載の電池の製造方法であって、
前記外装容器は、あらかじめを前記溝部が形成される領域の肉厚がそれ以外の側面部分の肉厚よりも大きくなるように形成される電池の製造方法。
【請求項８】
請求項４乃至６のいずれかに記載の電池の製造方法であって、
前記外装容器は、一定の肉厚をもつように形成される電池の製造方法。
【発明の詳細な説明】
【技術分野】
【０００１】
本発明は、電池およびその製造方法に係り、特に、応力腐蝕割れによる電解液漏れの抑制に関する。
【背景技術】
【０００２】
ニッケル−カドミウム電池やニッケル−水素電池等の密閉型電池は、有底円筒状の外装容器に電極体及び電解液が封入された構成となっている。
【０００３】
このような密閉型電池においては、大きな電池容量を得るために電極体を規定の電池寸法より大きな外装容器に収納し、途中工程で規定寸法に縮径加工することによって電極体形状に合わせて外装容器を密着させるようにした電極体方法が提案されている（特許文献１参照）。
【０００４】
図８はこの電池の製造方法を模式的に示す図である。先ず、有底の外装容器１１０に電極体１１１を挿入する（図８参照）。電極体１１１は、正極と負極とがセパレータを介して巻回して形成され、正極及び負極には集電体が接続されている。また、外装容器１１０の内径は、電極体１１１の外径より適宜大きめに設定されている。
【０００５】
その後、外装容器１１０の外径を絞る縮径加工を行って外装容器１１０の外径を規定寸法に加工し、電極体１１１の上端近傍における外装容器１１０の側壁を周方向に窪ませて溝部１１２を形成する（図９参照）。
【０００６】
次に、負極の集電体と外装容器１１０の底部とを溶接し、また正極の集電リード１１３と封口体１１４とを溶接する。そして、所定量の電解液を外装容器１１０に入れ、封口体１１４を溝部１１２に載置する（図１０参照）。
【０００７】
最後に、外装容器１１０の開口端を封口体１１４側に曲げて嵌めて封止し（図１１）参照）、缶軸に沿って底部方向に荷重を加えて圧縮する（図１２参照）。
【特許文献１】特願２００３−０１７５２９号明細書
【発明の開示】
【発明が解決しようとする課題】
【０００８】
近年、コードレス機器の発達により、その電源である電池に対し高容量化の要請がある。
そのためには、より多くの活物質を備える極板を用いなければならないが、活物質が多くなるに従い極板の厚みが増し、電極体の径が大きくなる。よって外装容器の内容積を増やすため、外装容器の肉厚を薄くする必要がある。しかしながら、このように肉厚を薄くすると外装容器の強度が低下する。特に高温環境下で長期間充放電を行うと、外装容器内部の一部が電解液や内部で発生するガス等により腐食され、微小の孔が開き、この孔から電解液が漏液する恐れがあった。
【０００９】
即ち、外装容器１１０は上述したように種々の加工が行われるため、容器の素材自体にひずみ（応力）の大きい部分が出来る。このような部分は、その応力により他の部分よりも割れが生じやすく、わずかな腐食により孔が開き易い。そしてその傾向は、外装容器の肉厚が薄いほど著しい。
【００１０】
本発明者らは、液漏れ箇所を詳細に調べた結果、溝部で上述のような割れが発し易いことを見いだした。この溝部における加工性は高く、特に最終工程で圧縮加工を行うと、溝部の先端や付根部分が大きく変形してしまう。すなわち、このような大きな変形を受けた場所は大きな応力がかかっており、それゆえ前述のように、割れが発生しやすいものと考えた。
【００１１】
本発明は、前記実情に鑑みてなされたもので、かかる電解液の液漏れを防止し信頼性の高い電池を提供することを目的とする。
【課題を解決するための手段】
【００１２】
そこで、本発明は、溝部全体の加工状態を規制すると共に溝部の傾き角度を規制して、電解液の液漏れ発生が抑制できるようにしたものである。
すなわち本発明の密閉型電池は、外装容器と、前記外装容器内に配置せしめられた正および負の電極を備えた電極体と、これら正および負の電極間に充填せしめられた電解液とを具備し、前記外装容器が、前記正または負の電極の一方に電気的に接続されて一方極の端子を構成し、前記外装容器の開口部が、ガスケットを介して、前記外装容器と電気的に絶縁され、他方極の端子を構成する封口体で封口され、前記電極体の当該外装容器の開口部側端部近傍における当該外装容器の側壁が周方向に絞られて溝部が形成された電池において、前記溝部の深さをＤとし、前記溝部が形成される前記外装容器の肉厚をｔとしたとき、Ｄ／ｔが６以下に設定されると共に、前記溝部の傾き角度が６０度以上となるように設定される。
ここで溝部の深さDは、当該外装容器の径が最小となる溝部の実外側面上の点から、前記溝部の中心軸と、仮想外側面との直線距離であり、前記溝部の傾き角度θとは、前記溝部の中心軸が仮想外側面となす角度を指すものとする。
【００１３】
この構成により、Ｄ／ｔを６以下に設定することで、溝部全体の加工形状を規制し、また傾き角度を６０度以上にすることで、溝部の付根部分や先端部分が集中応力を受けるのを規制して、強度的に著しく弱い箇所の発生を抑制すると共に、このような部分での腐食の進行を抑制して、電解液の液漏れが起き難くする。
【００１４】
この構成により、加工性を損なうことなく、外装容器の肉厚を薄くしても割れの生じにくい強度的に強い外装容器を形成することができる。Ｄ／ｔが４．８以上とすることにより、封口体の支持力をより向上することができる。
【００１５】
本発明の電池は、前記外装容器の、前記溝部を形成する領域の肉厚が、それ以外の側面部の肉厚よりも厚く形成されたものを含む。
【００１６】
この構成により、溝部の上に封口体を載置するのに十分な溝の深さと強度を保ちつつ、他の側面の肉厚を薄くできるので、さらなる高容量化が可能となる。
【００１７】
本発明の電池は、前記外装容器が前記電極体の外周に沿うように縮径された縮径部を有するものを含む。
【００１８】
この構成により、電極体を外装容器に収納する際に当該電極体が外装容器に擦れる等して損傷を受けるのを防止しつつも高容量化が可能となる。
【００１９】
本発明の方法は、外装容器内に電極体を収納し、前記電極体の上端近傍における前記外装容器の側壁を周方向に絞って溝部を形成する工程と、前記溝部の上端に封口体を載置し前記外装容器の開口端を嵌めて封止し、前記外装容器の軸方向に適宜圧縮して当該軸方向の寸法設定を行なうようにした電池の製造方法であって、前記溝部を形成する工程が、カシメ加工前の外装容器の肉厚がｔであるとき、前記溝部の深さがＤ、前記溝部の傾き角度が６０度以上となるように、前記外装容器の開口端近傍でカシメ加工を行う工程を含む。
【００２０】
この構成により、溝部全体の加工形状を規制し、また傾き角度を６０度以上にすることで、溝部の付根部分や先端部分が集中応力を受けるのを規制して、強度的に著しく弱い箇所の発生を抑制すると共に、このような部分での腐食の進行を抑制して、電解液の液漏れを生じにくくすることにより、長期間の使用に際しても漏液発生を抑制することができる。
【００２１】
また本発明の方法は、前記電極体の外径より大きな内径を持つ前記外装容器に当該電極体を挿入した後に前記外装容器を縮径する縮径工程を含む。
【００２２】
この方法によれば、電極体を外装容器に収納する際に当該電極体が外装容器に擦れる等して損傷を受けるのを防止しつつも高容量化が可能となる。
【００２３】
また本発明の方法は、前記縮径工程が、前記溝部を形成する工程に先立ち、実行されるものを含む。
【００２４】
この方法によれば、溝部形成前に縮径を行うことにより縮径加工による溝部の過度の変形を防止することができる。
【００２５】
また本発明の方法は、前記外装容器は、あらかじめ溝部形成領域の肉厚が他の側面部の肉厚よりも大きくなるように形成されるものを含む。
【００２６】
この方法によれば、他の側面部の肉厚を薄くしても当該部分の肉厚を確保しておくことにより封口体を載置するのに十分な溝の深さを溝部の強度を低下させることなく得ることができ、より高容量で漏液のない電池を提供することが可能となる。
【発明の効果】
【００２７】
本発明によれば、圧縮後の溝部の深さをＤとし、当該溝部が形成される外装容器の肉厚をｔとした際に、Ｄ／ｔを６以下に設定することで溝部全体の加工状態を規制し、また溝部の傾き角度を６０度以上にすることで溝部の付根部分や先端部分が集中応力を受けるのを規制するので、強度的に著しく弱い箇所の発生が抑制できると共に、このような部分での腐食の進行が抑制でき、電解液の液漏れを防止することができる。
【発明を実施するための最良の形態】
【００２８】
そこで、本発明は、溝部全体の加工状態を規制すると共に溝部の傾き角度を規制して、電解液の液漏れ発生が抑制できるようにしたもので、図６に示すように、肉厚部２１の厚みをｔ、溝部２３の深さ（外装容器１１の外壁から溝部２３側の外壁との前記溝部の中心軸に沿った距離）をＤとし、変形した溝部２３の中心軸が外装容器の軸となす傾きをθと定義した際に、Ｄ／ｔが６以下、θ＝６０度以上となるようにしたことを特徴とするものである。すなわち、溝部２３の当該外装容器１１の径が最小となる実外側面２３a上の点P1と、当該溝開口部の中心軸が仮想外側面２３ｂ（溝形成前の円筒側面を仮想した面）と交差する点P2との直線距離）をＤとし、前記中心軸（前記P1からP2）とP2をとおる仮想外側面２３ｂとのなす角をθとした。
【００２９】
次に、このような溝部をもつニッケル−カドミウム蓄電池について製造方法と共に図１〜図５を参照して説明する。
先ず、溝部形成領域の肉厚を厚く形成した外装容器１１に電極体１２を収納する（図１参照）。電極体１２は、正極１３にニッケル、負極１４にカドミウムが用いられ、これらをセパレータ１５を介して巻回して形成されている。なお、巻回に際しては、外装容器１１が負極１４となるのに対応して、電極体１２の最外周が負極１４になるように形成されている。そして、正極１３には正極集電体１６が接続され、負極１４には負極集電体１７が接続されている。
【００３０】
製造に際しては、まず、パンチングメタルの表面にニッケル焼結多孔体を形成した後、化学含浸法により水酸化ニッケルを主体とする正極活物質を焼結多孔体内に充填して焼結式ニッケル正極１３を作製する。また、酸化カドミウム粉末を主体とするペースト状の負極活物質を芯体にコーティングして非焼結式カドミウム負極１４を作製する。次いで、これらのニッケル正極１３とカドミウム負極１４とを、これらの間にセパレータ１５を介在させて渦巻状に巻回して渦巻状電極体１２を形成する。
【００３１】
この渦巻状電極体１２の上端はニッケル正極の極板芯体であるパンチングメタルの端部が露出して正極用導電端縁が形成され、一方、渦巻状電極体の下端はカドミウム負極の極板芯体の端部が露出して負極用導電端縁が形成される。
【００３２】
そして、渦巻状電極体１２の上部に公知の略円形の正極集電体１６の本体部を載置するとともに、正極用導電端縁に抵抗溶接する。一方、渦巻状電極体の下部にも公知の略円形の負極集電体を配置し、負極用導電端縁に抵抗溶接する。なお、正極集電体１６には、短冊状の集電リード１８が接続されていると共に、この正極集電体１６の中央部分に正極集電体開口１９が設けられている。
【００３３】
また、正極集電体１６の上には、薄いドーナツ状の絶縁体２０が設けられ、正極集電体１６が外装容器１１に接してショートするのを防止している。
【００３４】
外装容器１１は、ＳＣサイズの密閉型電池を形成する外観をなすもので、ニッケルメッキ鋼板を深絞加工等により形成された有底円筒状の缶である。その内径は一様で、電極体１２の外径より適宜大きな値に設定されて肉厚部２１を形成している。一方、外径は開口近傍で適宜大きくなっている。即ち、外装容器１１における電極体１２の上端位置から開口端までの肉厚が、それより下の領域より厚い肉厚となっている。
【００３５】
このように外装容器１１の内径が、電極体１２の外径より適宜大きな寸法に設定され、かつ、一様であるため、電極体１２を挿入する際に当該電極体１２が外装容器１１に擦れて損傷を受けたりしないようになっている。
【００３６】
次に、負極集電体１７と外装容器１１の底部とを接続し、その後に外装容器１１を径方向内側に向けて絞る縮径工程を行う（図２参照）。
負極集電体１７と外装容器１１の底部との接続は、負極集電体１７を底部に所定の荷重で当接させた状態で、電極体１２の中空部分２２から溶接用電極を挿入して抵抗溶接等により溶接して接続する。
【００３７】
縮径工程は、外装容器１１の開口部と電極体を冶具により固定し、外装容器１１の底部を所定径のダイスに挿入し、この状態で外装容器１１及び電極体１２を底部方向に加圧して押出すことにより行う。
【００３８】
この結果、外装容器１１は、その外径が一様となるよう縮径される。また、縮径工程前は、外側に突出していた肉厚部２１は、縮径工程により内側に突出した形状となる（図２）。
【００３９】
次に、外装容器１１の側壁に溝部２３を形成し、また封口体２４と集電リード１８とを溶接して、所定量の電解液を注入する（図３参照）。
【００４０】
溝部２３は、電極体１２の上端よりやや上方位置における肉厚部２１に溝入コマを当接させ、この状態で外装容器１１の周方向に回転させることによって形成する。このとき、徐々に当接力を増して溝部２３の深さが調整される。
【００４１】
封口体２４と集電リード１８との溶接は、これらを所定位置で突合わせて抵抗溶接やレーザ溶接等により溶接して接続する。
【００４２】
封口体２４は、皿状の２つの金属板である封口キャップ２５と封口板２６とを内部に空間ができるように向かい合わせて接合することにより形成され、外周部分にはガスケット２７が取り付けられている。電極体１２側の封口板２６における中央にはガス排出孔２８が形成され、このガス排出孔２８を塞ぐように内部空間に弁板２９が設けられ、この弁板２９はスプリング３０によりガス排出孔２８側に付勢されている。
【００４３】
なお、封口体２４には図示しないガス抜孔が設けられて、例えば電池が過充電となり内圧が規定値以上となった場合に、その圧力で弁板２９が押上げられてガスが大気中に逃げることができるようになっている。
【００４４】
次に、集電リード１８を屈曲させながら封口体２４を溝部２３の上に載置し、その後外装容器１１の開口縁端を内側に曲げて嵌めることにより封口体２４を固定する（図４参照）。開口縁端を嵌めることにより、ガスケット２７が塑性変形して外装容器１１は密閉状態に封止される。
【００４５】
最後に外装容器１１に対して、その缶軸に沿って底部側に加重をかけて圧縮を行い、電池の全高が規格寸法になるように調整する（図５参照）。
【実施例１】
【００４６】
以上により、密閉型電池が作成される。圧縮工程により溝部２３が押潰されて変形し、図６に示したような溝部形状が形成される。そこで本実施例１では、図６に示すように、肉厚部２１の厚みをｔ、溝部２３の深さ（外装容器１１の外壁から溝部２３側の内壁との距離）をＤとし、変形した溝部２３が缶軸となす傾きをθと定義した際に、Ｄ／ｔ＝４．８，６，１０，２０で、θ＝２０，３０，４５，６０，８０，９０度の試料電池（SCサイズ）を作成して、その高温連続充電試験（環境温度６０℃、充電電流１／３０ｌｔ、期間２年、各ロット１００個）を行って漏液率を評価した。本実施例において作成した試料電池においては、外装容器１１は直径（内径寸法）２２.１ｍｍ、開口部辺の肉厚部の厚み０．２５ｍｍ、その他側面部分の肉厚０．２０ｍｍのものを使用した。なお、完成電池は外径２２．０ｍｍ、高さ４１．３ｍｍ、公称容量は２４００ｍＡｈである。
【００４７】
図７は、その結果を示す図で、縦軸は漏液率、横軸に溝部２３の傾き角度θを示す。
【００４８】
同図から分かるように、溝部２３の傾きθが大きくなるに従い漏液率が減少している。また、Ｄ／ｔが４．８〜６の場合、Ｄ／ｔが１０〜２０の場合よりも漏液率が減少している。
【００４９】
そして、何れの場合でも、溝部２３の傾きθが６０度になると液漏率は急激に減少する傾向があり、この角度範囲でＤ／ｔが４．８〜６のときは漏液率は略発生していない。
【００５０】
以上のことから、漏液率を抑制するためには、Ｄ／ｔを６以下とし、溝部２３の傾き角度θを６０度以上にすることが好ましいことが分かる。
【００５１】
このように漏液率が、Ｄ／ｔや傾き角度θに依存する理由は、加工に伴う応力が関与していると考えられる。即ち、Ｄ／ｔの値は、溝部２３形成における加工率に対応している。例えば、溝部２３が形成される外装容器１１の厚みｔが同じ値の場合には、溝の深さＤを深くすることは、深さＤに比例して加工率が大きくなることを意味している。逆に、溝部２３の深さＤを一定にした場合、外装容器１１の厚みｔに反比例して加工率は大きくなる。つまり加工率が小さいほど強度低下は少なく漏液率は低い。
【００５２】
また、溝部２３の傾きは、その付根部分や先端部が塑性変形することにより起きる。ところが溝部２３の形成においては、この付根部分や先端部での加工率は他の部分に比べ大きくなる。従って、溝部２３の傾きを大きくすることは、付根部分や先端部が受ける応力が著しく高くなってしまう部分となる。
【００５３】
応力集中が大きいことは、その部分に多数の転位や格子欠陥等の金属疲労が蓄積されたことを意味するので、化学反応を起こしやすく錆び等の腐食がかかる応力集中の領域に沿って進行しやすくなる。
【００５４】
その結果、当該部分に微小の孔が開いて電解液の漏液が発生する。
【００５５】
従って、Ｄ／ｔを６以下の範囲に設定することは、溝部２３の全体が受け得る加工率の上限を示し、また傾き角度θを６０度以上にすることは、係る上限で許容される付け根部や先端部等が受ける応力の限界を示していると解釈できる。
【００５６】
なお、上述したように溝部２３には封口体２４が載置されるため、載置できるように最低限の深さが必要になる。この最低限に必要な深さＤとしては、例えば前記実施例のＳＣサイズにおいては、１．２ｍｍ以上とするのが望ましい。したがって、実施例のようにSCサイズにおいては、溝部が形成される部分の外装容器の厚みは０．２ｍｍ以上が望ましい。このように、他の側面部分の肉厚を薄くしても、溝部の肉厚を一定値以上とすることにより必要な深さを保持しつつ漏液しにくい電池を提供することができる。
【００５７】
なお、実施例の如く溝部形成部から開口部までの外装容器の肉厚を、他の部分よりも大きくすると、かしめ部（封口体封止部）の強度も保つことができ、電池内部の圧力が急激に上昇しても、封口体が突出することのないより安全な電池を提供できる。
【００５８】
以上説明したように、Ｄ／ｔを６以下に設定することで、溝部２３全体の加工率を規制し、また傾き角度を６０度以上にすることで、溝部２３の付根部分や先端部分が集中応力を受けるのを規制して、強度的に著しく弱い箇所の発生を抑制すると共に、このような部分での腐食の進行を抑制して、電解液の液漏れの抑制をはかることができる。
【００５９】
また、電極体の外径より適宜大きな内径を持つ外装容器に当該電極体を挿入し、その後に外装容器全体を縮径するため、電極体を外装容器に収納する際に当該電極体が外装容器に擦れる等して損傷を受けるのを防止することができて信頼性が向上し、また縮径加工による溝部の変形を防止することが可能になる。
【００６０】
なお、前記実施の形態では、縮径工程によって外装容器が電極体に密着するようにしたが、縮径工程を含まないものにも適用可能であることはいうまでもない。
【００６１】
さらにまた、前記実施の形態では、外装容器の溝部を形成する領域の肉厚が他の側面部の肉厚よりも大きくなるように形成したが、側面が一定の肉厚を持つように形成しても良い。
なお、外装容器の底面部は側面の肉厚よりも若干大きく形成されることが多い。
【００６２】
さらに、外装容器の溝部を形成する領域から開口部にかけて肉厚を大きくしておくことにより、封口体封止部を形成する領域の肉厚を十分に大きくすることができる。
このように、肉厚を確保しておくことにより封口体封止部（嵌部）強度の低下を防ぐことができる。
【００６３】
実施例ではＳＣサイズの電池を用いたが、他のサイズの場合でも本発明は適用できる。溝部が形成される部分の外装容器の肉厚が他の場合でも同様である。
【産業上の利用可能性】
【００６４】
以上のように、本発明にかかる密閉型電池は、強度的に弱い箇所の発生を防止すると共に腐食の進行を抑制して、電解液の液漏れが起きにくくいという効果を有し、外装容器に収納された電極体の上端近傍における当該外装容器の側壁を周方向に絞って溝部を形成し、該溝部の上端に封口体を載置して外装容器の開口端を嵌めて封止し、その後缶軸方向に適宜圧縮して当該缶軸方向の寸法設定が行われる電池として有用である。
【図面の簡単な説明】
【００６５】
【図１】本発明に係る密閉型電池における、外装容器に電極体を収納する工程を示す図である。
【図２】本発明に係る密閉型電池の縮径工程後の状態を示す図である。
【図３】本発明に係る密閉型電池の溝部を形成、封口体と集電リードとの溶接工程後の状態を示す図である。
【図４】本発明に係る密閉型電池の封口を溝部に載置して封口体を固定する工程後の状態を示す図である。
【図５】本発明に係る密閉型電池の圧縮工程後の状態を示す図である。
【図６】圧縮工程後の溝部の形状を詳細に示す図である。
【図７】種々の条件の溝部に対する液漏率の評価結果を示す図である。
【図８】従来例の電池の製造工程を示す図である。
【図９】従来例の電池の製造工程を示す図である。
【図１０】従来例の電池の製造工程を示す図である。
【図１１】従来例の電池の製造工程を示す図である。
【図１２】従来例の電池の製造工程を示す図である。
【符号の説明】
【００６６】
１１  外装容器
１２  電極体
１３  正極
１４  負極
１５  セパレータ
１６  正極集電体
１７  負極集電体
１８  集電リード
２１  肉厚部
２３  溝部
θ  溝部の傾き
ｔ  肉厚部の厚み
Ｄ  溝部の深さ
【図１】
2005293922.tif 000003
【図２】
2005293922.tif 000004
【図３】
2005293922.tif 000005
【図４】
2005293922.tif 000006
【図５】
2005293922.tif 000007
【図６】
2005293922.tif 000008
【図７】
2005293922.tif 000009
【図８】
2005293922.tif 000010
【図９】
2005293922.tif 000011
【図１０】
2005293922.tif 000012
【図１１】
2005293922.tif 000013
【図１２】
2005293922.tif 000014